(57)【要約】【課題】外部から菌が混入することなく、液体製品からサンプルを容易に抽出することができるサンプリングシステムを提供する。【解決手段】医薬品又は飲料食品を含む液体製品を滅菌装置１０２に送液するための主配管１０１から液体製品の一部をサンプルとして抽出するサンプリングシステム１であって、主配管１０１から分岐し、液体製品を回収する第１回収部３１へ送液する分岐配管１０と、分岐配管１０の一部を構成するサンプリング配管２０とを備え、サンプリング配管２０は、分岐配管１０に着脱可能であり、サンプリング配管２０の両端側に第１バルブ２１及び第２バルブ２２が設けられている。【選択図】図１
2017044580.tif 000002
【特許請求の範囲】
【請求項１】
医薬品又は飲料食品を含む液体製品を滅菌装置に送液するための主配管から液体製品の一部をサンプルとして抽出するサンプリングシステムであって、
前記主配管から分岐し、前記液体製品を回収する第１回収部へ送液する分岐配管と、
前記分岐配管の一部を構成するサンプリング配管とを備え、
前記サンプリング配管は、前記分岐配管に着脱可能であり、当該サンプリング配管の両端側にバルブが設けられている
ことを特徴とするサンプリングシステム。
【請求項２】
請求項１に記載するサンプリングシステムにおいて、
前記サンプリング配管は、前記液体製品が陽圧の状態で前記バルブを閉じることが可能である
ことを特徴とするサンプリングシステム。
【請求項３】
請求項１又は請求項２に記載するサンプリングシステムにおいて、
前記分岐配管には、前記サンプリング配管をバイパスするバイパス配管が接続されている
ことを特徴とするサンプリングシステム。
【請求項４】
請求項３に記載するサンプリングシステムにおいて、
前記分岐配管の前記サンプリング配管よりも上流側の上流配管は、前記主配管から下方に向けて延設された垂直部と、前記垂直部から側方に向けて少なくとも二つに分岐した水平部とを備え、
前記水平部の一端に前記サンプリング配管が接続され、前記水平部の他端に前記バイパス配管が接続されている
ことを特徴とするサンプリングシステム。
【請求項５】
請求項１から請求項４の何れか一項に記載するサンプリングシステムにおいて、
前記液体製品を前記分岐配管に送液させ、前記バルブを閉じて前記サンプリング配管中に前記液体製品を封入する制御を行う制御装置を備える
ことを特徴とするサンプリングシステム。
【発明の詳細な説明】
【技術分野】
【０００１】
本発明は、医薬品や飲料食品などの液体製品を製造するプラントにおいて液体製品の一部をサンプリングするサンプリングシステムに関する。
【背景技術】
【０００２】
液状の医薬品などの液体製品を-製造するプラントにおいては、液体製品の滅菌が実施されている。また、滅菌による効果を確認するために、滅菌前の生菌数（バイオバーデン）を測定することが実施されている。例えば、プラントの配管から液体製品の一部をサンプル（標本）として抽出し、そのサンプルを検査機で測定することでサンプル中の生菌数を測定することが行われている（例えば、特許文献１参照）。
【０００３】
特許文献１では、液体製品を送液する主配管から分岐したサンプリング用配管を設け、サンプリング用配管を測定器に接続している。このような構成により、主配管からサンプリング用配管を介して測定器にサンプルが送液され、液体製品の生菌数が測定される。
【０００４】
しかしながら、主配管から測定器までの間にサンプリング用配管を配置する構成であるため、測定器の配置場所によっては、サンプリング用配管を長く引き回さねばならず、手間やコストが掛かるという問題がある。
【０００５】
さらに、サンプリング用配管を測定器から取り外した場合には、サンプリング用配管内が汚染される可能性がある。そのまま再度測定器に接続して使用すれば、サンプリング用配管から得られた液体製品の生菌数を正しく測定することができない。測定器に再接続する前に洗浄液で洗浄すれば、サンプリング用配管を洗浄液で洗浄するための配管などの各種装置が必要となり、さらなるコスト増を招く。
【０００６】
また、このようなサンプリング用配管を引き回さずに、主配管にサンプルの取出口を設け、その取出口に容器を取り付け、容器にサンプルを回収するサンプリング方式もある。
【０００７】
このようなサンプリング方式では、取出口の周辺が汚染される可能性があり、取出口の周辺から容器内に雑菌が入り込む虞があるので、液体製品の生菌数を正しく測定できない。また、通常、その容器は使い捨てであるため、ランニングコストが掛かる。
【０００８】
なお、このような問題は医薬品だけではなく、飲料を含む液体製品についても存在する。
【先行技術文献】
【特許文献】
【０００９】
【特許文献１】特開２００９−１８０５９４号公報
【発明の概要】
【発明が解決しようとする課題】
【００１０】
本発明は、上記事情に鑑みてなされたものであり、外部から菌が混入することなく、液体製品からサンプルを容易に抽出することができるサンプリングシステムを提供することを目的とする。
【課題を解決するための手段】
【００１１】
上記課題を解決する本発明の第１の態様は、医薬品又は飲料食品を含む液体製品を滅菌装置に送液するための主配管から液体製品の一部をサンプルとして抽出するサンプリングシステムであって、前記主配管から分岐し、前記液体製品を回収する第１回収部へ送液する分岐配管と、前記分岐配管の一部を構成するサンプリング配管とを備え、前記サンプリング配管は、前記分岐配管に着脱可能であり、当該サンプリング配管の両端側にバルブが設けられていることを特徴とするサンプリングシステムにある。
【００１２】
第１の態様では、サンプリング配管は、液体製品を流通させる流路を構成する分岐配管の一部として機能するとともに、液体製品を封入した容器としても機能する。このため、測定器の配置によらずにプラントの任意の場所でサンプリングを行うことができ、また、測定器に向けてサンプリング用の配管を長く引き回す必要もない。このため、サンプリングをするための装置構成の構築に掛かる手間やコストを削減することができる。
【００１３】
また、サンプリング配管を洗浄した状態でサンプリングを行うことができる。すなわち、外部の菌がサンプリング配管から除去された後にサンプリングを行うので、外部からの菌の混入がなく、密封された状態で医薬品を得ることができる。このようなサンプリングシステムにより得られた医薬品のサンプルは、プラントの滅菌装置で処理される前の状態のままで検査機により検査できるので、医薬品の生菌数を正しく測定することができる。
【００１４】
本発明の第２の態様は、第１の態様に記載するサンプリングシステムにおいて、前記サンプリング配管は、前記液体製品が陽圧の状態で前記バルブを閉じることが可能であることを特徴とするサンプリングシステムにある。
【００１５】
第２の態様では、外気がサンプリング配管内に進入する虞がないので、より確実に外気の雑菌等の混入を防止することができる。
【００１６】
本発明の第３の態様は、第１又は第２の態様に記載するサンプリングシステムにおいて、前記分岐配管には、前記サンプリング配管をバイパスするバイパス配管が接続されていることを特徴とするサンプリングシステムにある。
【００１７】
第３の態様では、サンプリング配管の上流側において、サンプリングしきれなかった残存した医薬品を第１回収部に回収することができる。
【００１８】
本発明の第４の態様は、第３の態様に記載するサンプリングシステムにおいて、前記分岐配管の前記サンプリング配管よりも上流側の上流配管は、前記主配管から下方に向けて延設された垂直部と、前記垂直部から側方に向けて少なくとも二つに分岐した水平部とを備え、前記水平部の一端に前記サンプリング配管が接続され、前記水平部の他端に前記バイパス配管が接続されていることを特徴とするサンプリングシステムにある。
【００１９】
第４の態様では、残存した医薬品を水平部を介してバイパス配管へ排出できるので、サンプリング配管を上流配管から取り外したときに、残存した液体製品が上流配管からこぼれ落ちることを防止することができる。
【００２０】
本発明の第５の態様は、第１から第４の何れか一つの態様に記載するンプリングシステムにおいて、前記液体製品を前記分岐配管に送液させ、前記バルブを閉じて前記サンプリング配管中に前記液体製品を封入する制御を行う制御装置を備えることを特徴とするサンプリングシステムにある。
【００２１】
第５の態様では、サンプリング配管に液体製品をより確実に封入することができる。
【発明の効果】
【００２２】
本発明によれば、外部から菌が混入することなく、液体製品からサンプルを容易に抽出することができるサンプリングシステムが提供される。
【図面の簡単な説明】
【００２３】
【図１】実施形態１に係るサンプリングシステムの概略構成図である。
【図２】サンプリングシステムの動作を説明する概略図である。
【図３】サンプリングシステムの動作を説明する概略図である。
【図４】サンプリングシステムの動作を説明する概略図である。
【図５】サンプリングシステムの動作を説明する概略図である。
【図６】サンプリングシステムの動作を説明する概略図である。
【図７】サンプリングシステムの動作を説明する概略図である。
【図８】サンプリングシステムの動作を説明する概略図である。
【図９】実施形態２に係るサンプリングシステムの概略構成図である。
【発明を実施するための形態】
【００２４】
以下、本発明を実施するための形態について説明する。なお、実施形態の説明は例示であり、本発明は以下の説明に限定されない。
【００２５】
〈実施形態１〉
図１は、本実施形態に係るサンプリングシステムの概略構成図である。サンプリングシステム１が接続されたプラント１００は、液体製品の一例として液状の医薬品を製造する各種装置から構成されている。
【００２６】
プラント１００の一部を構成する主配管１０１は、上流に設置された各種装置により製造された医薬品を滅菌装置１０２に送液する配管である。また、主配管１０１には、主配管バルブ１１０が滅菌装置１０２の上流側に設けられている。主配管バルブ１１０は、医薬品を滅菌装置１０２へ送液するか、又は後述する分岐配管１０へ送液するかを切り替えるために用いられる。
【００２７】
滅菌装置１０２は、医薬品から菌を除去する装置であり、例えば、フィルター式の滅菌装置を用いている。滅菌装置１０２の使用前に空気抜きを実施した際に、その空気が空気抜き配管１０３を流通して排出される。また、滅菌装置１０２に送液された医薬品は、フィルターによって除菌され、送出配管１０４を流通して下流の装置（例えば、充填機）に送液される。これらの空気抜き配管１０３及び送出配管１０４にはそれぞれ空気抜き配管バルブ１１１及び送出配管バルブ１１２が設けられている。
【００２８】
サンプリングシステム１は、プラント１００の主配管１０１から分岐した分岐配管１０と、その分岐配管１０の一部を構成するサンプリング配管２０とを備えている。
【００２９】
分岐配管１０は、主配管１０１から分岐して第１回収部３１に接続された配管であり、主配管１０１から流入した流体を第１回収部３１へ送液する。具体的には、分岐配管１０は、主配管１０１から分岐した上流配管１１と、第１回収部３１に接続した下流配管１２と、上流配管１１及び下流配管１２に接続されるサンプリング配管２０とから構成されている。
【００３０】
上流配管１１は、主配管１０１から分岐し、鉛直方向の下方に延びた配管であり、鉛直方向に立てて配置されたサンプリング配管２０の上側に継手を介して接続される。下流配管１２は、サンプリング配管２０の下側に継手を介して接続され、第１回収部３１まで延設された配管である。また、下流配管１２は、分岐して第２回収部３２まで延設されている。
【００３１】
上流配管１１には上流バルブ１３が設けられ、下流配管１２には下流バルブ１４が設けられている。詳細は後述するが、これらのバルブを開閉することで、サンプリング配管２０に流入する流体の制御が可能となっている。
【００３２】
サンプリング配管２０は、第１バルブ２１、第２バルブ２２、サンプリング容器２３、第１配管２５、及び第２配管２６から構成されている。
【００３３】
第１配管２５は、継手を介して上流配管１１に接続される配管であり、第２配管２６は、継手を介して下流配管１２に接続される配管である。第１バルブ２１は第１配管２５に設けられ、第２バルブ２２は第２配管２６に設けられている。そして、サンプリング容器２３は、これらの第１配管２５及びと第２配管２６とに接続されている。
【００３４】
このような構成のサンプリング配管２０は、継手を着脱することで、分岐配管１０の上流配管１１及び下流配管１２に着脱可能となっている。このような構成とすることで、サンプリング配管２０を分岐配管１０から容易に着脱できるようになっている。
【００３５】
また、サンプリング配管２０には、両端側に第１バルブ２１及び第２バルブ２２が設けられている。これらのバルブを閉じることで、サンプリング容器２３内を密封することが可能となっている。
【００３６】
このようなサンプリング配管２０は、第１バルブ２１及び第２バルブ２２が開放された状態では、第１配管２５、サンプリング容器２３及び第２配管２６からなる流路を構成し、分岐配管１０の一部として、上流配管１１から下流配管１２に液体を流通させる。
【００３７】
一方、サンプリング配管２０は、第１バルブ２１及び第２バルブ２２が閉鎖された状態では、サンプリング容器２３内に流体を密封することができる。そして、サンプリング配管２０は、分岐配管１０から取り外されることで、持ち運び可能な容器となる。
【００３８】
また、分岐配管１０には、サンプリング配管２０をバイパスするバイパス配管４０が設けられている。具体的には、バイパス配管４０の一端は、上流配管１１の上流バルブ１３よりも下流側に接続され、バイパス配管４０の他端は、下流配管１２の下流バルブ１４よりも下流側でありかつ第１回収部３１及び第２回収部３２よりも上流側に接続されている。また、バイパス配管４０にはバイパス配管バルブ４１が設けられている。なお、バイパス配管４０の機能については後述する。
【００３９】
第１回収部３１は、分岐配管１０又はバイパス配管４０を流通した液体製品を回収する装置であり、第２回収部３２は、分岐配管１０又はバイパス配管４０を流通した洗浄用流体を回収する装置である。下流配管１２には、第１回収部３１よりも上流側には第１回収部バルブ３３が設けられ、第２回収部３２よりも上流側には第２回収部バルブ３４が設けられている。これらの第１回収部バルブ３３及び第２回収部バルブ３４を開閉することで、液体製品、洗浄用流体をそれぞれ第１回収部３１、第２回収部３２に回収することができるようになっている。
【００４０】
なお、第１回収部３１は、液体製品を回収する装置であれば特に限定されず、本実施形態では、回収した液体製品に適切な処理を行って廃棄するための装置となっている。第２回収部３２についても同様であり、洗浄用流体を回収する装置であれば特に限定されず、本実施形態では、回収した洗浄用流体に適切な処理を行って廃棄するための装置となっている。また、ここでいう洗浄用流体とは、主配管１０１、分岐配管１０、バイパス配管４０を洗浄するための液体又は気体である。
【００４１】
また、特に図示しないが、サンプリングシステム１は、制御装置により、各バルブの開閉動作が制御可能となっている。また、制御装置は、プラント１００の各種装置を動作させて、医薬品を製造させたり、各種装置を洗浄させるなどの各種制御も行う。
【００４２】
図２から図８を用いて、上述した構成のサンプリングシステム１の動作について説明する。図２から図８は、サンプリングシステムの動作を説明する概略図である。なお、これらの図では、各バルブの閉鎖状態を黒塗りで表し、各バルブの開放状態を白抜きで表している。
【００４３】
図２は、サンプリング配管２０を分岐配管１０の上流配管１１及び下流配管１２から取り外した状態を示している。また、上流バルブ１３、下流バルブ１４、及びバイパス配管バルブ４１が閉鎖されているとする。点線の円で囲った部分は、上流配管１１のうち上流バルブ１３よりも下流側の部分、下流配管１２のうち下流バルブ１４よりも上流側の部分、サンプリング配管２０のうち第１バルブ２１よりも上流側の部分、サンプリング配管２０のうち第２バルブ２２よりも下流側の部分である。
【００４４】
この状態では、それらの点線の円で囲った部分は外気に晒されているので、菌が付着するなど汚染されている虞がある。これらの部分は洗浄される対象となる。以降、これらの点線の円で囲った部分を被洗浄部と称する。
【００４５】
図３に示すように、サンプリング配管２０を上流配管１１及び下流配管１２に装着し、一体的な分岐配管１０とする。そして、洗浄用流体でサンプリングシステム１の洗浄を行う。
【００４６】
具体的には、主配管バルブ１１０及び第１回収部バルブ３３を閉鎖し、上流バルブ１３、下流バルブ１４、第１バルブ２１、第２バルブ２２、バイパス配管バルブ４１及び第２回収部バルブ３４を開放する。そして、洗浄用流体を主配管１０１から供給し、分岐配管１０及びバイパス配管４０を流通させる。
【００４７】
洗浄用流体が分岐配管１０を流通することで、被洗浄部が洗浄され、無菌状態となる。そして、洗浄用流体は、第２回収部３２に回収される。
【００４８】
次に、洗浄用流体を主配管１０１、分岐配管１０及びバイパス配管４０から第２回収部３２に排出して、洗浄を終えた後は、プラント１００を稼動させ、医薬品を製造する。
【００４９】
次に、任意のタイミングで、サンプリングを行う。具体的には、図４に示すように、主配管バルブ１１０、下流バルブ１４、及びバイパス配管バルブ４１を閉鎖し、上流バルブ１３、第１バルブ２１、及び第２バルブ２２を開放する。そして、医薬品を主配管１０１から分岐配管１０に供給する。この結果、サンプリング配管２０内は医薬品で充填される。
【００５０】
次に、図５に示すように、サンプリング配管２０の第１バルブ２１及び第２バルブ２２を閉鎖する。これにより、サンプリング容器２３内に充填された医薬品が密封された状態となる。
【００５１】
次に、図６に示すように、分岐配管１０などに残った、サンプリングしきれなかった医薬品を排出する。
【００５２】
具体的には、主配管バルブ１１０及び第２回収部バルブ３４を閉鎖し、上流バルブ１３、下流バルブ１４、バイパス配管バルブ４１及び第１回収部バルブ３３を開放する。これにより、サンプリング配管２０の第２バルブ２２よりも下流に残存していた医薬品は、下流配管１２を経由して第１回収部３１に回収される。また、サンプリング配管２０の第１バルブ２１よりも上流に残存していた医薬品は、バイパス配管４０を経由して第１回収部３１に回収される。このようにバイパス配管４０を設けることで、サンプリング配管２０の第１バルブ２１よりも上流側において、サンプリングしきれなかった残存した医薬品を第１回収部３１に回収することができる。
【００５３】
図７に示すように、残存した医薬品が第１回収部３１に回収された後、上流バルブ１３、下流バルブ１４及びバイパス配管バルブ４１を閉鎖する。
【００５４】
最後に、図８に示すように、第１バルブ２１及び第２バルブ２２を閉鎖したままの状態で、サンプリング配管２０を分岐配管１０の上流配管１１及び下流配管１２から取り外す。このようにして取り外したサンプリング配管２０を検査機に持ち運ぶことで、その内部に保持された医薬品について、生菌数を調べるなど各種の検査を行うことができる。
【００５５】
以降、再度サンプリングを実施する際には、図２〜図８に記載の動作を行えばよい。また、サンプリングを行わないときは、上流バルブ１３、空気抜き配管バルブ１１１を閉鎖し、主配管バルブ１１０及び送出配管バルブ１１２を開放し、主配管１０１から滅菌装置１０２、送出配管１０４に医薬品を送液する。
【００５６】
以上に説明したサンプリングシステム１によれば、サンプリング配管２０は、医薬品を流通させる流路を構成する分岐配管１０の一部として機能するとともに、医薬品を封入した容器としても機能する。このため、測定器の配置によらずにプラント１００の任意の場所でサンプリングを行うことができ、また、測定器に向けてサンプリング用の配管を長く引き回す必要もない。このため、サンプリングをするための装置構成の構築に掛かる手間やコストを削減することができる。
【００５７】
また、サンプリング配管２０は、使い捨てではなく再利用可能であるので、サンプルを保持する容器に掛かるランニングコストを低減することができる。
【００５８】
さらに、サンプリング配管２０を取り外した際に、被洗浄部（図２参照）が汚染される虞がある。しかし、サンプリング配管２０が分岐配管１０の一部として構成されていることで、サンプリング配管２０を洗浄（ＣＩＰ／ＳＩＰ）することができる（図３参照）。すなわち、被洗浄部が洗浄された状態で、サンプリングを行うことができる（図４〜図８参照）。
【００５９】
このように、外部の菌がサンプリング配管２０から除去された後にサンプリングを行うので、外部からの菌の混入がなく、密封された状態で医薬品を得ることができる。このようなサンプリングシステム１により得られた医薬品のサンプルは、プラント１００の滅菌装置１０２で処理される前の状態のままで検査機により検査できるので、医薬品の生菌数を正しく測定することができる。
【００６０】
また、特に図示しないが、サンプリング配管２０は、サンプリング容器２３内に封入した医薬品が陽圧（外気よりも高い圧力）の状態で第１バルブ２１及び第２バルブ２２が閉鎖されている。換言すれば、サンプリング配管２０は、サンプリング容器２３内を医薬品の圧力が外気よりも高い圧力で維持されるように、第１バルブ２１、第２バルブ２２、第１配管２５、第２配管２６、サンプリング容器２３が構成されている。
【００６１】
このような構成とすることで、外気がサンプリング容器２３内に進入する虞がないので、より確実に外気の雑菌等の混入を防止することができる。
【００６２】
〈実施形態２〉
本実施形態に係るサンプリングシステム２について説明する。図９は、サンプリングシステムの概略構成図である。実施形態１と同一のものには同一の符号を付し重複する説明は省略する。また、主配管１０１、下流配管１２及びバイパス配管４０の下流側の一部は図示を省略している。
【００６３】
図９（ａ）に示すように、分岐配管１０を構成する上流配管１１は、垂直部１１ａと水平部１１ｂとを備えている。垂直部は、上流配管１１のうち、主配管１０１から下方に向けて延設された部分の配管である。水平部１１ｂは、垂直部１１ａから側方に向けて少なくとも二つに分岐した部分の配管である。
【００６４】
サンプリング配管２０は、水平部１１ｂの一端に継手を介して接続されている。すなわち、サンプリング配管２０のうち水平に延びた第１配管２５の一部が水平部１１ｂに接続されている。また、バイパス配管４０は、水平部１１ｂの他端に接続されている。
【００６５】
このような構成のサンプリングシステム２を、実施形態１と同様に動作させる。図９（ａ）は、医薬品をサンプリング容器２３に充填し、第１バルブ２１及び第２バルブ２２を閉鎖した状態である（図７に相当する状態）。
【００６６】
そして、図９（ｂ）に示すように、バイパス配管バルブ４１を開放すると、主配管１０１、垂直部１１ａ、水平部１１ｂ、及びサンプリング配管２０の第１バルブ２１よりも上流部分に残存していた医薬品は、バイパス配管４０を流通して第１回収部３１（図示せず）に回収される。
【００６７】
このように上流配管１１が水平部１１ｂを含み、その水平部１１ｂにサンプリング配管２０が接続されている。このため、水平部１１ｂ内の医薬品はバイパス配管４０側に流れ落ち、医薬品が水平部１１ｂに残存することを防止できる。これにより、サンプリング配管２０を上流配管１１から取り外したときに、残存した医薬品がこぼれ落ちることを防止することができる。
【００６８】
〈他の実施形態〉
以上、本発明の一実施形態について説明したが、勿論、本発明は、上述の実施形態に限定されるものではなく、本発明の趣旨から逸脱しない範囲内で、構成の付加、省略、置換、およびその他の変更が可能である。
【００６９】
例えば、サンプリング配管２０の第１バルブ２１及び第２バルブ２２は、例えばハンドバルブを用いることで、簡易に開閉することができ、着脱がより容易なサンプリング配管２０とすることができる。もちろん、第１バルブ２１及び第２バルブ２２は、制御装置により開閉制御されるものとしてもよい。例えば、制御装置により、主配管１０１から医薬品をサンプリング配管２０に供給してサンプリング容器２３を充填した後に、それらの第１バルブ２１及び第２バルブ２２を閉鎖させることができる。このような制御により、サンプリング配管２０に医薬品をより確実に封入することができる。
【００７０】
サンプリング配管２０は、サンプリング容器２３を含む構成としたが、これに限定されない。すなわち、サンプリング容器２３を含まず、両端にバルブを有する配管からなるサンプリング配管内に医薬品を充填させる構成であってもよい。
【００７１】
サンプリングシステム１は、バイパス配管４０を含む構成としたが、必須の構成ではなく、バイパス配管４０を含まない構成であってもよい。
【００７２】
液体製品の一例として医薬品について説明したが、これに限定されない。本発明のサンプリングシステムは、医薬品のみならず飲料食品一般についても適用できる。また、サンプリングの目的は医薬品の生菌数を検査するためであったが、このような目的に限定されない。本発明は、製造する液体製品の一部を無菌で抽出する場合について広く適用できる。
【産業上の利用可能性】
【００７３】
本発明は、医薬品や飲料食品を含む液体製品を製造する産業分野で利用することができる。
【符号の説明】
【００７４】
１、２  サンプリングシステム
１０  分岐配管
２０  サンプリング配管
２１  第１バルブ
２２  第２バルブ
３１  第１回収部
３２  第２回収部
４０  バイパス配管
１００  プラント
１０１  主配管
１０２  滅菌装置
【図１】
2017044580.tif 000003
【図２】
2017044580.tif 000004
【図３】
2017044580.tif 000005
【図４】
2017044580.tif 000006
【図５】
2017044580.tif 000007
【図６】
2017044580.tif 000008
【図７】
2017044580.tif 000009
【図８】
2017044580.tif 000010
【図９】
2017044580.tif 000011